(57)【要約】【課題】複数の長袖衣類を重ねて着用することを円滑に行うことができ、且つ、長袖衣類を着用した後に邪魔になる要素が残らないようにした長袖衣類着用時用の補助具を提供する。【解決手段】長袖衣類着用時用の補助具１０は、使用者の手または指に着脱可能に取り付けられる使用者側部材１１と、使用者が着用する長袖衣類の袖口に着脱可能に取り付けられる長袖衣類側部材１２と、使用者側部材１１と長袖衣類側部材１２とを連結する連結部材１３と、を備える。【選択図】図１
0003190642.tif 000002
【実用新案登録請求の範囲】
【請求項１】
使用者の手または指に着脱可能に取り付けられる使用者側部材と、
使用者が着用する長袖衣類の袖口に着脱可能に取り付けられる長袖衣類側部材と、
前記使用者側部材と前記長袖衣類側部材とを連結する連結部材と、
を備える長袖衣類着用時用の補助具。
【請求項２】
前記長袖衣類側部材は、前記長袖衣類の袖口を挟むクリップで構成されている請求項１に記載の長袖衣類着用時用の補助具。
【請求項３】
前記使用者側部材は、使用者の手または指を挿入可能な環状をなしている請求項１または２に記載の長袖衣類着用時用の補助具。
【請求項４】
前記使用者側部材は、周方向に沿う長さが調整可能に構成されている請求項３に記載の長袖衣類着用時用の補助具。
【請求項５】
前記使用者側部材は、帯状をなし、その両端部にマジックテープ（登録商標）を備えた構成である請求項３または４に記載の長袖衣類着用時用の補助具。
【請求項６】
前記使用者側部材は、周方向に沿う長さが調整不能に構成されている請求項３に記載の長袖衣類着用時用の補助具。
【請求項７】
前記使用者側部材は、帯状をなす部材の両端部を相互に固定した構成である請求項３または６に記載の長袖衣類着用時用の補助具。
【請求項８】
前記使用者側部材は、可撓性を有する請求項１から７の何れか１項に記載の長袖衣類着用時用の補助具。
【請求項９】
前記連結部材は、可撓性を有する請求項１から８の何れか１項に記載の長袖衣類着用時用の補助具。
【請求項１０】
飾り部材をさらに備える請求項１から９の何れか１項に記載の長袖衣類着用時用の補助具。
【請求項１１】
前記飾り部材は、前記使用者側部材と前記連結部材が重なっている部分に備えられている請求項１０に記載の長袖衣類着用時用の補助具。
【考案の詳細な説明】
【技術分野】
【０００１】
本考案は、長袖衣類を着用する場合に使用する長袖衣類着用時用の補助具に関する。
【背景技術】
【０００２】
長袖衣類を着用した上にさらに別の長袖衣類を着用する場合には、既に着用している長袖衣類の袖口が新たに着用しようとする長袖衣類に引きずられてしまい、既に着用している長袖衣類の袖口が肘の方に向かって上がってしまう。そのため、複数の長袖衣類を重ねて着用することは非常に難儀であり、複数の長袖衣類を重ねて着用することを円滑に行うための改善が求められている。
例えば特許文献１には、長袖シャツ類の袖口にＵ字状のゴム紐を縫い付けておき、そのゴム紐に中指等を差し込んだ上で２枚目の長袖シャツ類を着用することが開示されている。
【先行技術文献】
【特許文献】
【０００３】
【特許文献１】実用新案登録第３０６１９５４号公報
【考案の概要】
【考案が解決しようとする課題】
【０００４】
しかしながら、特許文献１に開示されている技術では、Ｕ字状のゴム紐が袖口に縫い付けてあることから、２枚目の長袖シャツ類を着用した後において、そのゴム紐が袖口に残ってしまい、邪魔である。
そこで、本考案は、複数の長袖衣類を重ねて着用することを円滑に行うことができ、且つ、長袖衣類を着用した後に邪魔になる要素が残らないようにした長袖衣類着用時用の補助具を提供する。
【課題を解決するための手段】
【０００５】
本考案に係る長袖衣類着用時用の補助具は、使用者側部材と、長袖衣類側部材と、連結部材と、を備える。使用者側部材は、使用者の手または指に着脱可能に取り付けられる。長袖衣類側部材は、使用者が着用する長袖衣類の袖口に着脱可能に取り付けられる。連結部材は、使用者側部材と長袖衣類側部材とを連結する。
【０００６】
この長袖衣類着用時用の補助具によれば、既に着用している長袖衣類の袖口に長袖衣類側部材を取り付け、且つ、使用者側部材を使用者の手または指に取り付けることにより、既に着用している長袖衣類の袖口が連結部材を介して使用者の手または指に引っ張られた状態となる。従って、さらに重ねて別の長袖衣類を着用する場合に、既に着用している長袖衣類の袖口が新たに着用しようとする長袖衣類に引きずられてしまうことを防止することができ、複数の長袖衣類を重ねて着用することを極めて円滑に行うことができる。
【０００７】
そして、この長袖衣類着用時用の補助具によれば、使用者側に取り付けられる使用者側部材は、使用者の手または指に着脱可能であり、且つ、長袖衣類側に取り付けられる長袖衣類側部材も、長袖衣類の袖口に着脱可能である。従って、複数の長袖衣類を重ねて着用した後においては、使用者側部材および長袖衣類側部材、ひいては、補助具全体を取り外すことができ、複数の長袖衣類を重ねて着用した後において、邪魔になる要素が残らない。
【図面の簡単な説明】
【０００８】
【図１】一実施形態に係る長袖衣類着用時用の補助具の平面図
【図２】一実施形態に係る長袖衣類着用時用の補助具の斜視図
【図３】一実施形態に係る長袖衣類着用時用の補助具の使用例を示す図
【図４】変形例に係る長袖衣類着用時用の補助具の斜視図
【図５】変形例に係る長袖衣類着用時用の補助具の平面図
【考案を実施するための形態】
【０００９】
以下、本考案に係る一実施形態について図面を参照しながら説明する。例えば図１および図２に示すように、長袖衣類着用時用の補助具１０（以下、単に「補助具１０」と称する）は、使用者の手に着脱可能に取り付けられる使用者側部材１１と、使用者が着用する長袖衣類の袖口に着脱可能に取り付けられる長袖衣類側部材１２と、使用者側部材１１と長袖衣類側部材１２とを連結する連結部材１３と、を備える。
【００１０】
使用者側部材１１は、帯状をなし、例えば布、ビニール、皮、シリコン、樹脂、手芸用のリボンなど可撓性を有する材料から構成されている。即ち、使用者側部材１１は、帯状をなす曲げられる部材として構成されている。この場合、帯状をなす使用者側部材１１の両端部には、マジックテープ（登録商標）を構成する要素１１ａおよび要素１１ｂがそれぞれ縫い付けてある。使用者側部材１１は、両端部の要素１１ａおよび要素１１ｂを相互に貼り付けることにより、例えば図２に示すように、使用者の手を挿入可能な環状をなすようになっている。
【００１１】
そして、この場合、要素１１ａは、要素１１ｂに比べ、使用者側部材１１の長手方向に沿う寸法が長く設けられている。よって、要素１１ａに対する要素１１ｂの貼り付け位置を適宜調整することにより、使用者側部材１１の周方向に沿う長さ、つまり、環状をなす使用者側部材１１の開口寸法を適宜調整することが可能となっている。
長袖衣類側部材１２は、長袖衣類の袖口を挟むクリップで構成されるものであり、この場合、いわゆるサスペンダー式のクリップで構成されている。なお、長袖衣類側部材１２は、例えばプラスチックや金属など種々の材料から構成することができる。
【００１２】
連結部材１３は、帯状をなし、例えば布、ビニール、皮、シリコン、樹脂、手芸用のリボンなど可撓性を有する材料から構成されている。即ち、連結部材１３も帯状をなす曲げられる部材として構成されている。この連結部材１３の一端部は、使用者側部材１１に取り付けられている。この場合、連結部材１３の一端部は、使用者側部材１１の長手方向のほぼ中央部分に取り付けられている。なお、連結部材１３の一端部を取り付ける位置は、使用者側部材１１の長手方向のほぼ中央部分に限られるものではなく、例えば使用者側部材１１の長手方向の端部など、その取り付け位置を適宜変更して実施することができる。また、連結部材１３の他端部には、長袖衣類側部材１２が取り付けられている。また、この場合、連結部材１３は、その長さが調整不能に構成されている。なお、連結部材１３の長さを調整可能に構成してもよい。
【００１３】
また、補助具１０は、例えばテントウムシやドングリなどといったマスコットをデザインした飾り部材１４をさらに備える。この場合、飾り部材１４は、使用者側部材１１と連結部材１３が重なっている部分に取り付けられている。なお、飾り部材１４を取り付ける位置は、使用者側部材１１と連結部材１３が重なっている部分に限られるものではなく、例えば使用者側部材１１のうち連結部材１３が重なっていない部分あるいは連結部材１３のうち使用者側部材１１が重なっていない部分など、その取り付け位置を適宜変更して実施することができる。また、飾り部材１４のデザインは、適宜変更して実施することができる。また、飾り部材１４は、必須の構成要素ではなく、必要に応じて設ければよい。
【００１４】
次に、補助具１０の使用例について説明する。即ち、例えば図３（ａ）に示すように、使用者は、既に着用している長袖衣類Ｃ１の袖口に長袖衣類側部材１２を着脱可能に取り付け、且つ、使用者側部材１１を環状にして使用者の手の平に取り付ける。これにより、既に着用している長袖衣類Ｃ１の袖口が連結部材１３を介して使用者の手の平に引っ張られた状態となる。
【００１５】
この状態で、例えば図３（ｂ）〜図３（ｃ）に示すように、使用者は、例えば矢印Ａで示すように、さらに重ねて別の長袖衣類Ｃ２を着用する。このとき、既に着用している長袖衣類Ｃ１の袖口が連結部材１３を介して使用者の手に引っ張られた状態となっているため、既に着用している長袖衣類Ｃ１の袖口が新たに着用しようとする長袖衣類Ｃ２に引きずられてしまうことが防止される。これにより、使用者は、複数の長袖衣類Ｃ１，Ｃ２を重ねて着用することを極めて円滑に行うことができる。
【００１６】
そして、例えば図３（ｄ）に示すように、長袖衣類Ｃ１に長袖衣類Ｃ２を重ねて着用した後において使用者が手を開くと、飾り部材１４が手の平に現れる。このように、複数の長袖衣類Ｃ１，Ｃ２を重ねて着用した後に、マスコットをデザインした飾り部材１４が現れることにより、例えば子供に長袖衣類着用後のワクワク感を誘うことができ、あるいは、長袖衣類着用後に例えば「テントウムシがあったね！」、「できたね♪」などといった親子のコミュニケーションを楽しむことができる。
【００１７】
本実施形態に係る補助具１０によれば、既に着用している長袖衣類の袖口に長袖衣類側部材１２を取り付け、且つ、使用者側部材１１を使用者の手に取り付けることにより、既に着用している長袖衣類の袖口が連結部材１３を介して使用者の手に引っ張られた状態とすることができる。これにより、さらに重ねて別の長袖衣類を着用する場合に、既に着用している長袖衣類の袖口が新たに着用しようとする長袖衣類に引きずられてしまうことを防止することができ、複数の長袖衣類を重ねて着用することを極めて円滑に行うことができる。
【００１８】
そして、本実施形態に係る補助具１０によれば、使用者側に取り付けられる使用者側部材１１は、使用者の手に着脱可能に構成されており、且つ、長袖衣類側に取り付けられる長袖衣類側部材１２も、長袖衣類の袖口に着脱可能に構成されている。従って、複数の長袖衣類を重ねて着用した後においては、使用者側部材１１および長袖衣類側部材１２、ひいては、補助具１０全体を取り外すことができ、複数の長袖衣類を重ねて着用した後において、邪魔になる要素が残らない。
【００１９】
また、本実施形態に係る補助具１０によれば、長袖衣類側部材１２は、長袖衣類の袖口を挟むクリップで構成されている。これにより、使用者は、長袖衣類側部材１２を長袖衣類の袖口に極めて容易に取り付けることができ、また、取り外すことができる。
また、本実施形態に係る補助具１０によれば、環状をなす使用者側部材１１の周方向に沿う長さが調整可能に構成されている。これにより、使用者の手の大きさに応じて、使用者側部材１１の大きさを適宜調整することができる。また、使用者側部材１１の大きさを調整可能とする構成は、例えばマジックテープ（登録商標）を使用することにより、安価に、且つ、簡素に実現することができる。
【００２０】
また、本実施形態に係る補助具１０によれば、使用者側部材１１および連結部材１３は、何れも可撓性を有する材料で構成されている。従って、使用者の手と長袖衣類の袖口との位置関係の変化などに応じて柔軟に対応することができる。また、使用者が、使用者側部材１１および連結部材１３によって負傷してしまうといった不測の事態を未然に防止することができる。
【００２１】
また、本実施形態に係る補助具１０によれば、飾り部材１４を備える。そして、この場合、飾り部材１４は、使用者側部材１１と連結部材１３が重なっている部分、つまり、使用者の手の平に位置する部分に備えられている。これにより、上述したように、使用後に現れる飾り部材１４により、例えば、子供にワクワク感を与えたり、あるいは、親子のコミュニケーションを楽しんだりするなどといった付加的なメリットを得ることができる。
【００２２】
なお、本考案は、上述した複数の実施形態に限定されるものではなく、その要旨を逸脱しない範囲で変形あるいは拡張することができる。
例えば図４に示すように、長袖衣類着用時用の補助具２０は、使用者側部材２１を、例えばビニールなど可撓性を有する材料からなり帯状をなす部材で構成し、且つ、その両端部２１ａを相互に接着や溶着などによって固定することにより構成してもよい。この場合、使用者側部材２１の周方向に沿う長さ、つまり、環状をなす使用者側部材２１の開口寸法が調整不能に構成される。
【００２３】
また、例えば図５に示すように、長袖衣類着用時用の補助具３０は、使用者側部材３１を、使用者の指を挿入可能な環状をなすリング状の部材で構成してもよい。この場合も、環状をなす使用者側部材３１の開口寸法が調整不能に構成される。なお、使用者側部材３１は、使用者の親指を挿入可能なサイズで構成することが好ましいが、その他の指を挿入可能なサイズで構成してもよい。また、使用者側部材３１は、例えばプラスチックや金属など種々の材料で構成することができる。
【符号の説明】
【００２４】
図面中、１０は長袖衣類着用時用の補助具、１１は使用者側部材、１２は長袖衣類側部材、１３は連結部材、１４は飾り部材、２０は長袖衣類着用時用の補助具、２１は使用者側部材、３０は長袖衣類着用時用の補助具、３１は使用者側部材を示す。
【図１】
0003190642.tif 000003
【図２】
0003190642.tif 000004
【図３】
0003190642.tif 000005
【図４】
0003190642.tif 000006
【図５】
0003190642.tif 000007
【手続補正書】
【提出日】平成26年3月10日(2014.3.10)
【手続補正１】
【補正対象書類名】実用新案登録請求の範囲
【補正対象項目名】請求項５
【補正方法】変更
【補正の内容】
【請求項５】
前記使用者側部材は、帯状をなし、その両端部に面ファスナーを備えた構成である請求項３または４に記載の長袖衣類着用時用の補助具。